(57)【要約】【課題】使用形態に応じた雑音抑圧処理を行なう雑音抑圧装置、該雑音抑圧装置を備えた携帯電話機、前記雑音抑圧装置による雑音抑圧方法及び前記雑音抑圧装置をコンピュータによって実現するためのコンピュータプログラムを提供する。【解決手段】携帯電話機の使用形態が変更された場合、マイクアレイ処理制御部２４は、変更された使用形態に応じてスイッチ２２，２３の切り替えを制御し、音入力部６，７からの音信号をマイクアレイ処理部２６，２７のいずれかへ入力させる。携帯電話機の使用形態が変更された場合、情報変換部２５は、変更前の使用形態に対応するマイクアレイ処理部２６（又は２７）から使用環境情報を取得し、変更後の使用形態に対応するマイクアレイ処理部２７（又は２６）へ渡す。マイクアレイ処理部２６，２７は、情報変換部２５からの使用環境情報を用いて、音入力部６，７からの音信号に対してマイクアレイ処理を実行する。【選択図】図３
2010054731.tif 000002
【特許請求の範囲】
【請求項１】
受音した音を音信号に変換する複数の受音部を接続可能で、前記音信号に含まれる雑音成分を抑圧する雑音抑圧装置において、
前記複数の受音部の位置関係及び／又は前記複数の受音部と目的音源との位置関係が変化する複数の使用形態での使用が可能であり、
前記使用形態を検知する検知部と、
前記複数の受音部で変換された各音信号に対して雑音抑圧処理に用いる使用環境情報を、前記検知部が検知した使用形態に応じた使用環境情報に変換する変換部と、
該変換部が変換した使用環境情報を用いた雑音抑圧処理を前記音信号に対して行なう抑圧部と
を備えることを特徴とする雑音抑圧装置。
【請求項２】
前記使用形態のそれぞれに応じた使用環境を推定する推定部を更に備え、
前記変換部は、前記推定部が推定した使用環境を示す使用環境情報を、前記検知部が検知した使用形態に応じた使用環境情報に変換すること
を特徴とする請求項１に記載の雑音抑圧装置。
【請求項３】
前記推定部が推定したそれぞれの使用形態に応じた使用環境を示す使用環境情報を、それぞれの使用形態に対応付けて記憶する記憶部を備え、
前記変換部は、前記記憶部に記憶してある使用環境情報を、前記検知部が検知した使用形態に応じた使用環境情報に変換すること
を特徴とする請求項２に記載の雑音抑圧装置。
【請求項４】
前記推定部は、
前記検知部が検知した使用形態に応じて、前記受音部のそれぞれによって変換された音信号における音声区間及び雑音区間、該音声区間及び雑音区間の情報を用いて背景雑音レベル及び／又は背景雑音スペクトルを推定し、
現在の使用形態に対して推定した前記音声区間及び雑音区間の情報を用いて、現在の使用形態ではない使用形態に対応する背景雑音レベル及び／又は背景雑音スペクトルを推定すること
を特徴とする請求項２又は３に記載の雑音抑圧装置。
【請求項５】
前記使用形態のそれぞれに対応して、前記抑圧部によって雑音抑圧処理が行なわれた音信号のＳＮ比及び／又は前記抑圧部による雑音抑圧処理における抑圧量を算出する算出部と、
前記使用形態のそれぞれに対応して算出されたＳＮ比及び／又は抑圧量を比較する比較部と、
比較した結果を外部に通知する通知部とを更に備え、
前記推定部は、前記受音部のそれぞれによって変換された音信号に基づいて、前記使用形態のそれぞれに対応する使用環境を推定し、
前記抑圧部は、前記推定部が推定した前記使用形態のそれぞれに対応する使用環境を示す使用環境情報を用いて、前記音信号に対して雑音抑圧処理を行なうこと
を特徴とする請求項２から４までのいずれかひとつに記載の雑音抑圧装置。
【請求項６】
前記受音部の使用形態の切り替えが可能であり、
前記受音部の使用形態のそれぞれに対応付けて、所定の音源の方向を示す方向情報を記憶する方向情報記憶部を更に備え、
前記抑圧部は、前記検知部が検知した前記受音部の使用形態に対応して記憶してある方向情報を用いて、前記使用形態に応じた雑音抑圧処理を行なうこと
を特徴とする請求項１から５までのいずれかひとつに記載の雑音抑圧装置。
【請求項７】
前記受音部は、３つ以上であり、
前記使用形態のそれぞれに応じて、前記受音部のうちの複数の受音部を選択する選択部を更に備え、
前記抑圧部は、選択された受音部によって変換された音信号に対して前記雑音抑圧処理を行なうことを特徴とする請求項１から６までのいずれかひとつに記載の雑音抑圧装置。
【請求項８】
前記複数の受音部はマイクロホンであり、
請求項１から７までのいずれかひとつに記載の雑音抑圧装置を備えることを特徴とする携帯電話機。
【請求項９】
受音した音を音信号に変換する複数の受音部と接続可能な雑音抑圧装置が、前記音信号に含まれる雑音成分を抑圧する雑音抑圧方法において、
前記雑音抑圧装置は、前記複数の受音部の位置関係及び／又は前記複数の受音部と目的音源との位置関係が変化する複数の使用形態での使用が可能であり、
前記雑音抑圧装置が、前記使用形態を検知するステップと、
前記雑音抑圧装置が、前記複数の受音部で変換された各音信号に対して雑音抑圧処理に用いる使用環境情報を、検知した使用形態に応じた使用環境情報に変換するステップと、
前記雑音抑圧装置が、変換した使用環境情報を用いた雑音抑圧処理を前記音信号に対して行なうステップと
を有することを特徴とする雑音抑圧方法。
【請求項１０】
コンピュータに、受音して得られた音信号に含まれる雑音成分を抑圧させるためのコンピュータプログラムにおいて、
コンピュータに、
受音した際の使用形態を検知させるステップと、
前記音信号に対して雑音抑圧処理に用いる使用環境情報を、検知した使用形態に応じた使用環境情報に変換させるステップと、
変換した使用環境情報を用いた雑音抑圧処理を前記音信号に対して行なうステップと
を有することを特徴とするコンピュータプログラム。
【発明の詳細な説明】
【技術分野】
【０００１】
本発明は、受音して得られた音信号に含まれる雑音成分を抑圧する雑音抑圧装置、該雑音抑圧装置を備えた携帯電話機、雑音抑圧方法及びコンピュータプログラムに関する。
【背景技術】
【０００２】
受音した音をそれぞれ音信号に変換して出力するコンデンサマイク等の受音部を複数有し、各受音部から出力された音信号に基づいて様々な音処理を行なうマイクアレイ装置が開発されている。マイクアレイ装置は、各受音部から出力された各音信号の同期を取って加算することによって雑音に比べ相対的に目的とする音を強調する（ＳＮＲ（Signal to Noise Rate）を改善する）同期加算処理を行なうように構成されている場合がある。また、マイクアレイ装置は、各音信号の同期を取って一方から他方を減算することで雑音源に対して死角を形成する同期減算処理によって雑音抑圧を行なうように構成されている場合がある（例えば、非特許文献１参照）。
【０００３】
同期加算処理及び同期減算処理等のようにマイクアレイ装置が行なうマイクアレイ処理は、受音部と目的音源との位置関係、複数の受音部間の配置等の状況に依存する処理である。受音部と目的音源との位置関係とは、例えば、目的音源の方向に対して垂直方向に複数の受音部を配置させた場合の位置関係、目的音源の方向に対する直線上に複数の受音部を配置させた場合の位置関係等がある。また、複数の受音部間の配置とは、例えば、複数の受音部間の距離、各受音部の音孔の方向等がある。
【０００４】
即ち、マイクアレイ処理は、受音部と目的音源との位置関係、複数の受音部間の配置等の状況が変更した場合、各種の処理又は各種の処理に用いるパラメータを逐次切り替える必要がある。
【０００５】
ところで、近年の折り畳み式の携帯電話機は、折り畳まない状態での通常スタイル、折り畳む際に表示画面を外側（表面）に向けたビューアスタイル等、複数の使用形態での使用（通話、通信）が可能となるように構成されている。また、折り畳み式の携帯電話機は、表示画面が設けられた第１の筺体と、操作ボタンが設けられた第２の筺体とがヒンジ部を介して連結され、第１の筺体のヒンジ部との連結箇所とは反対側の端部にスピーカが設けられていることが多い。従って、このような携帯電話機は、ビューアスタイルにおけるマイクとスピーカとの位置が近付きすぎないように、ヒンジ部の近傍に１つのマイクが実装されることが多い。
【０００６】
このようにヒンジ部の近傍にマイクが設けられた携帯電話機では、ユーザ（話者）の口の位置とマイクの位置とが離れるので、通常スタイルでの使用時においてもビューアスタイルでの使用時においてもマイクが受音するユーザの発話音のＳＮＲが悪くなり、通話品質が劣化していた。そこで、マイクアレイ処理のようにＳＮＲを改善する雑音抑圧処理を行なうことが必要となる。
【０００７】
上述したように、マイクアレイ処理は、携帯電話機の使用状況（使用形態）が変更された場合、各種の処理又は各種の処理に用いるパラメータを切り替える必要がある。従って、通常スタイル及びビューアスタイル等の全ての使用形態においてマイクアレイ処理を行なう構成とする場合、それぞれの使用形態に対応するマイクアレイ処理部を独立に用意しておき、各使用形態に応じて動作させるマイクアレイ処理部を切り替える構成が考えられる。
【０００８】
図２４は従来の雑音抑圧装置の構成を示すブロック図である。従来の雑音抑圧装置は、第１音入力部１０１、第２音入力部１０２、センサ１０３、筺体の状態判断部１０４、音入出力切替部１０５、スイッチ１０６，１０７，１１０、第１マイクアレイ処理部１０８、第２マイクアレイ処理部１０９等を備える。
【０００９】
第１音入力部１０１及び第２音入力部１０２は、マイク、増幅器及びアナログ／デジタル変換器（以下、Ａ／Ｄ変換器という）を有する。第１音入力部１０１及び第２音入力部１０２は、マイクによって音を受音し、受音した音を時系列のアナログの電気信号に変換し、増幅器によって増幅させ、Ａ／Ｄ変換器によってデジタルの音信号に変換させた後、スイッチ１０６，１０７にそれぞれ送出する。
【００１０】
センサ１０３は、雑音抑圧装置が例えば折り畳み式の携帯電話機に設けられている場合、携帯電話機のヒンジ部に装着されたセンサである。センサ１０３は、携帯電話機が通常スタイル（折り畳まれていない状態）であるかビューアスタイル（折り畳まれた状態）であるかに応じたヒンジ部の状態を検出し、検出結果を筺体の状態判断部１０４に送出する。筺体の状態判断部１０４は、センサ１０３から取得した検出結果に基づいて、携帯電話機が通常スタイルであるか、ビューアスタイルであるかを判断し、判断結果を音入出力切替部１０５に送出する。
【００１１】
音入出力切替部１０５は、筺体の状態判断部１０４から取得した判断結果に基づいて、スイッチ１０６，１０７，１１０の切り替えを制御する。例えば、音入出力切替部１０５は、筺体の状態判断部１０４から取得した判断結果が通常スタイルであれば、第１音入力部１０１及び第２音入力部１０２からの音信号を第１マイクアレイ処理部１０８へ出力するようにスイッチ１０６，１０７の切り替えを制御する。またこのとき、音入出力切替部１０５は、第１マイクアレイ処理部１０８からの音信号を外部へ出力するようにスイッチ１１０の切り替えを制御する。
【００１２】
一方、音入出力切替部１０５は、筺体の状態判断部１０４から取得した判断結果がビューアスタイルであれば、第１音入力部１０１及び第２音入力部１０２からの音信号を第２マイクアレイ処理部１０９へ出力するようにスイッチ１０６，１０７の切り替えを制御する。またこのとき、音入出力切替部１０５は、第２マイクアレイ処理部１０９からの音信号を外部へ出力するようにスイッチ１１０の切り替えを制御する。
【００１３】
第１マイクアレイ処理部１０８及び第２マイクアレイ処理部１０９は、スイッチ１０６，１０７のそれぞれから出力される音信号を取得し、取得した音信号に基づいて、同期加算処理又は同期減算処理等のマイクアレイ処理を行なう。なお、第１マイクアレイ処理部１０８は、携帯電話機が通常スタイルで使用されている場合のマイクアレイ処理を行ない、第２マイクアレイ処理部１０９は、携帯電話機がビューアスタイルで使用されている場合のマイクアレイ処理を行なう。
【００１４】
このような構成により、雑音抑圧装置は、携帯電話機の使用形態に応じたマイクアレイ処理を行なうことができ、使用形態のそれぞれに応じた処理によって雑音を適切に抑圧して音質の向上が得られる。
【００１５】
また、雑音抑圧装置がビデオカメラに設けられている場合に、カメラのズーム情報と連動させて、ビデオカメラに搭載されたズームマイクロホンの指向性及び録音レベルを制御する構成とすることも提案されている（例えば、特許文献１参照）。
【非特許文献１】金田豊著、「マイクロホン系におけるディジタルフィルタの応答」、日本音響学会誌、１９８９年，第４５巻，第２号、１２５−１２８頁
【特許文献１】特開２００２−２０４４９３号公報
【発明の開示】
【発明が解決しようとする課題】
【００１６】
上述した構成の雑音抑圧装置は、携帯電話機の使用形態が変更された時点で、動作させるマイクアレイ処理部を切り替える。また、動作を開始するように制御されたマイクアレイ処理部は、その時点からマイクアレイ処理に用いる各種の情報の推定処理を開始すると共に、推定した情報に基づくマイクアレイ処理を開始する。従って、適切な情報が推定されるまでの間は、適切ではない情報（例えば、予め設定された初期情報）に基づくマイクアレイ処理を行なうことになるので、雑音抑圧処理の動作が不安定となる。特に、携帯電話機の使用（通話）中に使用形態が切り替えられた場合には、不安定な動作によって処理された不快な音が通話相手に送られてしまうという問題を有する。
【００１７】
本発明は斯かる事情に鑑みてなされたものであり、その目的とするところは、使用形態を変更させた直後においても、それまでの雑音抑圧性能を維持したまま通話を継続させることが可能な雑音抑圧装置、該雑音抑圧装置を備える携帯電話機、前記雑音抑圧装置による雑音抑圧方法及び前記雑音抑圧装置をコンピュータによって実現するためのコンピュータプログラムを提供することにある。
【課題を解決するための手段】
【００１８】
本願に開示する雑音抑圧装置は、受音した音を音信号に変換する複数の受音部と接続可能であり、取得した音信号に含まれる雑音成分を抑圧する雑音抑圧装置において、複数の受音部の位置関係及び／又は複数の受音部と目的音源との位置関係が変化する複数の使用形態での使用が可能である。また、本願に開示する雑音抑圧装置は、使用形態を検知し、音信号に対する雑音抑圧処理に用いる使用環境情報を、検知した使用形態に応じた使用環境情報に変換し、変換した使用環境情報を用いた雑音抑圧処理を、取得した音信号に対して行なう。
【００１９】
本願に開示する雑音抑圧装置によれば、雑音抑圧処理に用いる使用環境情報を、それぞれの使用形態に応じた使用環境情報に変換する。よって、使用形態が変更された場合に新たな使用環境情報を推定し直さず、既に推定された使用環境情報を変換して得られた使用環境情報を用いた雑音抑圧処理を行なうので、使用形態が変更された直後から良好な雑音抑圧処理の実行が可能となる。
【００２０】
本願に開示する雑音抑圧方法は、複数の受音部と接続可能な雑音抑圧装置が、雑音抑圧処理に用いる使用環境情報を、それぞれの使用形態に応じた使用環境情報に変換し、変換した使用環境情報を用いた雑音抑圧処理を前記音信号に行なう。
【００２１】
本願に開示する雑音抑圧方法によれば、使用形態が変更された場合に新たな使用環境情報を推定し直さず、既に推定された使用環境情報を変換して得られた使用環境情報を用いた雑音抑圧処理を行なうので、使用形態が変更された直後から良好な雑音抑圧処理の実行が可能となる。
【００２２】
本願に開示するコンピュータプログラムは、コンピュータに、受音して得られた音信号に含まれる雑音成分を抑圧させるためのコンピュータプログラムにおいて、コンピュータに、雑音抑圧処理に用いる使用環境情報を、受音した際の使用形態に応じた使用環境情報に変換させ、変換した使用環境情報を用いた雑音抑圧処理を前記音信号に行なわせる。
【００２３】
本願に開示するコンピュータプログラムでは、コンピュータに、受音した際の使用形態が変更された場合に新たな使用環境情報を推定し直さず、既に推定された使用環境情報を変換して得られた使用環境情報を用いた雑音抑圧処理を行なうので、使用形態が変更された直後から良好な雑音抑圧処理の実行が可能となる。
【発明の効果】
【００２４】
本願に開示する雑音抑圧装置及び雑音抑圧方法では、使用形態が変更された場合であっても、使用形態が変更された直後から良好な使用環境情報に基づく雑音抑圧処理を実行できるので、良好な音質を確保することができる。また、本願に開示するコンピュータプログラムでは、上述した構成を有する雑音抑圧装置をコンピュータによって実現することができる。
【発明を実施するための最良の形態】
【００２５】
以下に、本願に開示する雑音抑圧装置を、携帯電話機に適用した各実施形態を示す図面に基づいて詳述する。なお、本願に開示する雑音抑圧装置、雑音抑圧方法、コンピュータプログラムは、携帯電話機に適用される構成に限られず、例えば、受音して得られた音信号を用いて音声認識を行なう音声認識装置等、取得した音信号に各種の処理を行なう音声処理装置に適用することもできる。
【００２６】
（実施形態１）
以下に、実施形態１に係る携帯電話機について説明する。図１Ａ、図１Ｂ及び図１Ｃは実施形態１の携帯電話機の構成を示す模式図である。なお、本実施形態１の携帯電話機１は折り畳み式の携帯電話機である。図１Ａには折り畳んでいない状態の携帯電話機１の外観斜視図を、図１Ｂには表示部１１を内側にして折り畳んだ状態の携帯電話機１の外観斜視図を、図１Ｃには表示部１１を外側にして折り畳んだ状態の携帯電話機１の外観斜視図をそれぞれ示す。
【００２７】
本実施形態１の携帯電話機１は、表示部１１を有する第１の筺体１ａと、操作部１０を有する第２の筺体１ｂと、筺体１ａ，１ｂを連結するための第３の筺体１ｃとを有する。筺体１ｂ，１ｃはヒンジ部１ｄ，１ｄを介して連結されており、筺体１ａ，１ｃは回動部１ｅを介して連結されている。
【００２８】
第１の筺体１ａは、回動部１ｅに対して１８０°の回動が可能に構成されており、携帯電話機１を折り畳んだ場合に表示部１１が操作部１０と対向する状態と、表示部１１が操作部１０と対向しない状態とに状態を変更することができる。また、筺体１ａ，１ｃは、ヒンジ部１ｄ，１ｄで筺体１ｂに対して折り畳み可能に構成されている。なお、本願に開示する雑音抑圧装置を適用できる携帯電話機は、筺体の形状又はマイクの使用状態等を含む複数の使用形態での使用が可能な携帯電話機であれば、折り畳み式の携帯電話機に限られない。
【００２９】
携帯電話機１は、筺体１ａの回動部１ｅとの連結箇所とは反対側の端部にスピーカ８ａを有する。また、携帯電話機１は、筺体１ｃのヒンジ部１ｄ，１ｄとの連結箇所の側面にマイク６ａを有し、携帯電話機１を折り畳んだ場合に操作部１０と対向する面の反対側の面にマイク７ａを有する。
【００３０】
なお、本実施形態１の携帯電話機１では、ユーザは、図１Ａに示すように折り畳んでいない状態で筺体１ａに設けられたスピーカ８ａを自身の耳元に配置させて発話する使用形態（通常スタイルともいう）での使用が可能である。また、本実施形態１の携帯電話機１では、ユーザは、図１Ｃに示すように表示部１１を外側に向けて折り畳んだ状態でスピーカ８ａを自身の耳元に配置させて発話する使用形態（ビューアスタイルともいう）での使用が可能である。
【００３１】
図２は実施形態１の携帯電話機１の構成を示すブロック図である。本実施形態１の携帯電話機１は、演算処理部２、ＲＯＭ（Read Only Memory）３、ＲＡＭ（Random Access Memory）４、センサ５、第１音入力部６、第２音入力部７、音出力部８、通信部９、操作部１０、表示部１１等を備える。上述したハードウェア各部はバス２ａを介して相互に接続されている。
【００３２】
演算処理部２は、ＣＰＵ（Central Processing Unit ）又はＭＰＵ（Micro Processor Unit）等であり、上述したハードウェア各部の動作を制御すると共に、ＲＯＭ３に予め格納してある制御プログラムを適宜ＲＡＭ４に読み出して実行する。ＲＯＭ３は、携帯電話機１を動作させるために必要な種々の制御プログラムを予め格納している。ＲＡＭ４はＳＲＡＭ又はフラッシュメモリ等であり、演算処理部２による制御プログラムの実行時に発生する種々のデータを一時的に記憶する。
【００３３】
センサ５は、ヒンジ部１ｄ，１ｄに装着されており、ヒンジ部１ｄ，１ｄを介して携帯電話機１が折り畳まれていない状態（通常スタイル）であるか折り畳まれた状態（ビューアスタイル）であるかを検出する。センサ５は、携帯電話機１が通常スタイルであるかビューアスタイルであるかに応じた検出結果を、ヒンジ部１ｄ，１ｄに設けられた磁石による磁気情報によって出力する。
【００３４】
第１音入力部６及び第２音入力部７（受音部）のそれぞれは、図３に示すように、マイク６ａ，７ａ、増幅器６ｂ、７ｂ、Ａ／Ｄ変換器６ｃ、７ｃを有する。マイク６ａ，７ａは、例えばコンデンサマイクであり、受音した音に基づいてアナログの音信号を生成し、生成した音信号をそれぞれ増幅器６ｂ、７ｂへ送出する。
【００３５】
増幅器６ｂ、７ｂは、例えばゲインアンプであり、マイク６ａ，７ａから入力された音信号を増幅し、得られた音信号をそれぞれＡ／Ｄ変換器６ｃ，７ｃへ送出する。Ａ／Ｄ変換器６ｃ，７ｃは、増幅器６ｂ、７ｂから入力された音信号に対して、ＬＰＦ（Low Pass Filter）等のフィルタを用い、携帯電話機の場合は８０００Ｈｚのサンプリング周波数でサンプリングしてデジタルの音信号に変換する。第１音入力部６及び第２音入力部７は、Ａ／Ｄ変換器６ｃ，７ｃによって得られたデジタルの音信号を所定の出力先へ送出する。
【００３６】
音出力部８は、音を出力するスピーカ８ａ、デジタル／アナログ変換器、増幅器（共に図示せず）等を有する。音出力部８は、音声出力すべきデジタルの音信号を、デジタル／アナログ変換器によってアナログの音信号に変換した後、増幅器によって増幅し、増幅した音信号に基づく音をスピーカ８ａから出力する。
【００３７】
通信部９は、ネットワーク（図示せず）に接続するためのインタフェースであり、ネットワーク（通信回線）を介して他の携帯電話機、コンピュータ等の外部機器との間で通信を行なう。なお、通信部９は、例えば、第１音入力部６及び第２音入力部７によって取得された音信号を、通信（通話）相手の携帯電話機へ出力する。
【００３８】
操作部１０は、ユーザが携帯電話機１を操作するために必要な各種の操作キーを備えている。ユーザにより各操作キーが操作された場合、操作部１０は操作された操作キーに対応した制御信号を演算処理部２へ送出し、演算処理部２は操作部１０から取得した制御信号に対応した処理を実行する。
表示部１１は、例えば液晶ディスプレイ（ＬＣＤ）であり、演算処理部２からの指示に従って、携帯電話機１の動作状況、操作部１０を介して入力された情報、ユーザに対して通知すべき情報等を表示する。
【００３９】
以下に、上述した構成の携帯電話機１において、演算処理部２がＲＯＭ３に格納されている種々の制御プログラムを実行することによって実現される携帯電話機１の機能について説明する。図３は実施形態１の携帯電話機１の機能構成を示す機能ブロック図である。本実施形態１の携帯電話機１において、演算処理部２は、ＲＯＭ３に記憶してある制御プログラムを実行することによって、筺体の状態判断部２１、スイッチ２２，２３，２８、マイクアレイ処理制御部２４、情報変換部２５、第１マイクアレイ処理部２６、第２マイクアレイ処理部２７等の各機能を実現する。
【００４０】
なお、上述した各機能は、ＲＯＭ３に格納された制御プログラムを演算処理部２が実行することによって実現される構成に限られない。例えば、上述した各機能を、本願に開示するコンピュータプログラム及び各種のデータが組み込まれたＤＳＰ（Digital Signal Processor）によって実現してもよい。
【００４１】
第１音入力部６及び第２音入力部７は、受音して得られた音信号をスイッチ２２，２３にそれぞれ送出する。なお、第１音入力部６及び第２音入力部７は、目的の音源である発話者の口から発せられる音（目的音）及びその他の音（雑音）を含み、携帯電話機１に対して周囲から到来する音を受音する。
【００４２】
スイッチ２２，２３は、それぞれ第１音入力部６及び第２音入力部７から入力された音信号を、第１マイクアレイ処理部２６及び第２マイクアレイ処理部２７の一方に送出する。第１マイクアレイ処理部２６及び第２マイクアレイ処理部２７（抑圧手段）のそれぞれは、マイクアレイ処理を施した音信号をスイッチ２８へ送出する。スイッチ２８は、第１マイクアレイ処理部２６及び第２マイクアレイ処理部２７の一方から入力された音信号を所定の出力先へ送出する。なお、第１マイクアレイ処理部２６及び第２マイクアレイ処理部２７の詳細な構成については図４に基づいて後述する。
【００４３】
筺体の状態判断部（検知手段）２１は、センサ５から出力された検出結果に基づいて、携帯電話機１が通常スタイルであるかビューアスタイルであるかを判断し、判断結果をマイクアレイ処理制御部２４に通知する。
【００４４】
マイクアレイ処理制御部２４は、携帯電話機１が通常スタイルであることを示す判断結果を筺体の状態判断部２１から通知された場合、音入力部６，７からの音信号を第１マイクアレイ処理部２６へ送出するようにスイッチ２２，２３の切り替えを制御する。またこのとき、マイクアレイ処理制御部２４は、第１マイクアレイ処理部２６からの音信号を所定の出力先へ送出するようにスイッチ２８の切り替えを制御する。
【００４５】
また、マイクアレイ処理制御部２４は、携帯電話機１がビューアスタイルであることを示す判断結果を筺体の状態判断部２１から通知された場合、音入力部６，７からの音信号を第２マイクアレイ処理部２７へ送出するようにスイッチ２２，２３の切り替えを制御する。またこのとき、マイクアレイ処理制御部２４は、第２マイクアレイ処理部２７からの音信号を所定の出力先へ送出するようにスイッチ２８の切り替えを制御する。
【００４６】
更に、マイクアレイ処理制御部２４は、筺体の状態判断部２１から通知される判断結果に基づいて、情報変換部２５の動作を制御する。具体的には、マイクアレイ処理制御部２４は、携帯電話機１が通常スタイルであれば、第２マイクアレイ処理部２７が用いる使用環境情報を第１マイクアレイ処理部２６が用いる使用環境情報に変換するように情報変換部２５に指示する。また、マイクアレイ処理制御部２４は、携帯電話機１がビューアスタイルであれば、第１マイクアレイ処理部２６が用いる使用環境情報を第２マイクアレイ処理部２７で用いる使用環境情報に変換するように情報変換部２５に指示する。
【００４７】
情報変換部（変換手段）２５は、マイクアレイ処理制御部２４からの指示に従って、第１マイクアレイ処理部２６で用いる使用環境情報と第２マイクアレイ処理部２７が用いる使用環境情報との間での変換処理を行なう。なお、本実施形態１では、第１マイクアレイ処理部２６及び第２マイクアレイ処理部２７は共に、２つのマイク６ａ，７ａで受音して得られた音信号に基づくマイクアレイ処理を行なう構成である。従って、情報変換部２５は、第１マイクアレイ処理部２６が用いる使用環境情報と第２マイクアレイ処理部２７が用いる使用環境情報とを単純に交換する構成であってもよい。
【００４８】
以下に、第１マイクアレイ処理部２６及び第２マイクアレイ処理部２７の詳細な構成について説明する。図４はマイクアレイ処理部２６，２７の機能構成を示す機能ブロック図である。本実施形態１の携帯電話機１において、第１マイクアレイ処理部２６及び第２マイクアレイ処理部２７のそれぞれは、使用環境推定部２６１，２７１、使用環境情報保存部２６２，２７２、抑圧ゲイン算出部２６３，２７３、雑音抑圧部２６４，２７４等の各機能を有する。
【００４９】
なお、第１マイクアレイ処理部２６及び第２マイクアレイ処理部２７は、図示しないが、フレーム化処理部及び信号変換部を有する。フレーム化処理部は、第１音入力部６及び第２音入力部７から入力された音信号について、時間軸上の音信号から周波数軸上の音信号に変換するためにフレーム化処理を行なう。フレーム化処理は、例えばフレーム長３２ｍｓを１ブロックとして処理し、次に例えばフレームシフト２０ｍｓでシフトした３２ｍｓの区間を新たなフレームとして処理する。このシフトを繰り返して処理を進めていく。フレーム長やフレームシフトの量は３２ｍｓや２０ｍｓに限定されない。
【００５０】
信号変換部は、フレーム化処理された音信号について、時間軸上の音信号を周波数軸上の音信号（スペクトル）に変換（携帯電話機では８ｋＨｚサンプリングで２５６点）し、マイク６ａとマイク７ａとの複素スペクトルを得る。信号変換部は、得られた複素スペクトルを使用環境推定部２６１，２７１及び雑音抑圧部２６４，２７４へ送出する。なお、信号変換部は、例えば、高速フーリエ変換（ＦＦＴ）のような時間−周波数変換処理を実行する。
【００５１】
使用環境推定部（推定手段）２６１，２７１は、マイクアレイ処理部２６，２７が行なう雑音抑圧処理に用いられる各種の使用環境情報の推定処理を行ない、推定した使用環境情報を使用環境情報保存部２６２，２７２に格納する。使用環境情報保存部２６２，２７２は、例えばＲＡＭ４の所定の領域を利用してもよいし、別途に設けられたメモリ部を利用してもよい。
【００５２】
使用環境推定部２６１，２７１は、例えば、信号変換部から取得した複素スペクトルを用いて、マイク６ａとマイク７ａとの間の位相差スペクトルを用いて各種の使用環境情報を算出する。この場合、抑圧ゲイン算出部２６３，２７３は、算出された使用環境情報と、位相差スペクトルに基づいて抑圧ゲインを決定し、雑音抑圧部２６４，２７４は、決定された抑圧ゲインに基づく雑音抑圧処理を行なう。これにより、適切な指向性を形成することができ、第１音入力部６及び第２音入力部７によって取得された音信号に基づいて、目的の音源の方向から到来する音を強調した音信号が生成される。
【００５３】
図５Ａ及び図５Ｂは実施形態１の携帯電話機１における指向性のパターンを示す模式図である。本実施形態１の携帯電話機１は、通常スタイルでは図１Ａに示すようにマイク６ａの音孔が操作部１０側に配置され、ビューアスタイルでは図１Ｃに示すようにマイク６ａの音孔が外側に配置されるようにヒンジ部１ｄ，１ｄの近傍にマイク６ａが配置されている。また、携帯電話機１は、ビューアスタイルでは図１Ｃに示すようにマイク７ａの音孔が筺体１ｃの外側に配置されている。
【００５４】
このような構成により、本実施形態１の携帯電話機１では、通常スタイルにおいては図５Ａに示すような指向性パターンの受音が可能であり、ビューアスタイルにおいては図５Ｂに示すような指向性パターンの受音が可能となる。なお、図５Ａに示す指向性パターンは、２つのマイク７ａ，６ａを結んだ線上を中心としたコーン型の指向性パターンであり、マイク７ａが設けられた側面側に指向性の死角を形成した雑音抑圧が行なわれる。また、図５Ｂに示す指向性パターンは、円盤型の指向性パターンであり、マイク６ａ，７ａに対する目的の音源（話者の口）の方向に対して直交する方向に指向性の死角を形成した雑音抑圧が行なわれる。
【００５５】
よって、本実施形態１の携帯電話機１では、通常スタイルにおいてもビューアスタイルにおいてもマイクアレイによる指向性受音を実現することができる。第１マイクアレイ処理部２６及び第２マイクアレイ処理部２７は、信号復元部（図示せず）を更に有する。信号復元部は、雑音抑圧部２６４，２７４によって雑音抑圧処理された周波数軸上の音信号を時間軸上の音信号に変換し、スイッチ２８へ送出する。なお、信号復元部は、信号変換部が行なう変換処理の逆変換処理、例えば逆フーリエ変換処理を実行する。
【００５６】
スイッチ２８は、例えば、音入力部６，７によって取得した音信号を通信（通話）相手の携帯電話機へ送信する場合には、第１マイクアレイ処理部２６又は第２マイクアレイ処理部２７から取得する雑音抑圧された音信号を通信部９へ送出する。なお、通信部９は、取得した音信号を電話通信として通信相手の端末へ送信する。また、携帯電話機１が音声認識処理部を有する構成であり、音入力部６，７によって取得した音信号に基づいて音声認識処理を行なう場合には、スイッチ２８は、雑音抑圧された音信号を音声認識処理部へ送出する。
【００５７】
なお、マイクアレイ処理部２６，２７の使用環境推定部２６１，２７１は、例えば、背景雑音レベル、背景雑音スペクトルの統計量、ＳＮ比（ＳＮＲ）、音声区間・雑音区間を示す情報、雑音帯域を示す情報、所定の音源（話者の口）の方向を示す方向情報、雑音源の方向を示す方向情報、マイク６ａ，７ａの感度を補正するための補正値（マイク感度補正値）等を使用環境情報として推定する。
【００５８】
背景雑音レベルは、マイク６ａ，７ａによって受音した音信号に含まれる比較的定常な雑音成分のレベルを示す。背景雑音レベルは、例えば、マイク６ａ，７ａで算出した位相差スペクトルから音の到来方向を求め、所定の音源方向以外から到来する信号を用いて背景雑音レベルを推定・更新できる。このような処理によって推定された背景雑音レベルは、マイク７ａが設けられた側面側から到来する音に基づく雑音レベルである。マイクアレイ処理部２６，２７は、背景雑音レベルに基づく雑音抑圧処理を行なうことにより、周囲の雑音のレベルに応じた指向性の実現が可能となる。
【００５９】
背景雑音スペクトルは、マイク６ａ，７ａによって受音した音信号に含まれる雑音成分の周波数成分毎の平均的なレベルを示す。背景雑音スペクトルは、例えば、マイク６ａ，７ａで算出した位相差スペクトルから音の到来方向を求め、所定の音源方向以外から到来する信号を用いて背景雑音スペクトルを推定・更新できる。図６は背景雑音スペクトル及び音声区間のスペクトルの例を示す模式図である。図６には、横軸を周波数とし、縦軸をレベル（音量）として背景雑音スペクトル及び音声区間のスペクトルを示している。
【００６０】
マイクアレイ処理部２６，２７は、例えば特開２００７−１８３３０６号公報に開示された技術のように、背景雑音スペクトルに基づく雑音抑圧処理を行なうことにより、背景雑音スペクトルの値を目標に最大抑圧量を決定することによって、ミュージカルノイズ（キュルキュルという音）を抑圧することができる。
【００６１】
ＳＮＲは、背景雑音レベルに対するユーザの声の大きさの情報である。ＳＮＲは、雑音抑圧部２６４，２７４による雑音抑圧処理後の音信号のパワー（Ｐinput ）と、雑音抑圧処理前の平均雑音のパワー（Pnoise ）との比を取ることによって求められ、例えば、以下の式１を用いることができる。マイクアレイ処理部２６，２７は、ＳＮＲに基づく雑音抑圧処理を行なうことにより、抑圧量と音質とのバランスが適切なマイクアレイ処理を行なうことができる。
【００６２】
【数１】
2010054731.tif 000003
【００６３】
音声区間・雑音区間とは、マイク６ａ，７ａによって受音した音信号に目的の音源からの音（目的音）が含まれている区間、目的音が含まれていない区間である。目的音が含まれている区間であるか否かを判断する方法は、取得した音信号の位相スペクトルがランダムになっている場合に目的音を受音していないと判定する方法、目的の音源の方向を含まない方向に指向性を向けて推定した雑音レベルと入力音のレベルとの差（ＳＮＲ）を用いる方法等がある。マイクアレイ処理部２６，２７は、音声区間・雑音区間を示す情報に基づいて、雑音区間での音信号を用いて背景雑音レベル、背景雑音スペクトルを推定・更新することができる。
【００６４】
雑音帯域を示す情報は、マイク６ａ，７ａによって受音した音信号に含まれる雑音成分の周波数帯域を示す情報である。雑音帯域は、例えば位相差スペクトルを用いて所定の音源方向と異なる方向からの音の帯域を雑音帯域として推定される。マイクアレイ処理部２６，２７は、雑音帯域を示す情報に基づいて、マイク６ａ，７ａによって受音される音信号に含まれる雑音成分を用いて、背景雑音レベルや背景雑音スペクトルを推定・更新することができる。
【００６５】
所定の音源（話者の口）の方向を示す方向情報は、マイク６ａ，７ａによって受音される音信号の音声区間の位相差スペクトルの情報を元に、位相差スペクトルの周波数方向の傾きから、所定の音源の方向を推定することができる。
【００６６】
雑音源の方向を示す方向情報は、マイク６ａ，７ａによって受音される音信号の雑音区間の位相差スペクトルの情報を元に、位相差スペクトルの周波数方向の傾きから、雑音源の方向を推定することができる。
【００６７】
マイク６ａ，７ａの感度を補正するための補正値（マイク感度補正値）は、マイク６ａ，７ａによって受音される音信号の雑音区間における平均スペクトルを推定し、それぞれの平均スペクトルの比に基づいて推定される。同じ種類のマイク部品であっても±３ｄＢ以上の感度のばらつきが発生することが多い。マイクアレイ処理部２６，２７は、マイク感度補正値に基づいて、マイク６ａ，７ａのそれぞれにおける感度の差による音信号のレベル（信号値）差を補正する。
【００６８】
ここで、本実施形態１の情報変換部２５は、上述したようにそれぞれのマイクアレイ処理部２６，２７が推定して保存した使用環境情報を、他のマイクアレイ処理部２６，２７でも使用する構成である。具体的には、情報変換部２５は、携帯電話機１の使用形態（通常スタイル及びビューアスタイル）が変更された場合に、その旨をマイクアレイ処理制御部２４から通知される。情報変換部２５は、携帯電話機１の使用形態の変更が通知された場合、変更前の使用形態におけるマイクアレイ処理部２６（又は２７）の使用環境情報保存部２６２（又は２７２）に保存されている使用環境情報を、変更後の使用形態におけるマイクアレイ処理部２７（又は２６）の使用環境推定部２７１（又は２６１）に渡す。
【００６９】
変更後の使用形態におけるマイクアレイ処理部２７（又は２６）は、情報変換部２５を介して取得した使用環境情報を初期値としてマイクアレイ処理を開始する。従って、携帯電話機１の使用形態が変更された場合であっても、変更前の使用形態におけるマイクアレイ処理部２６（又は２７）によって推定された使用環境情報を変更後の使用形態に対応するマイクアレイ処理部２７（又は２６）に引き継ぐことができる。
【００７０】
よって、変更前の使用形態に対応するマイクアレイ処理部２６（又は２７）において推定された使用環境情報が無駄にならず、また、変更後の使用形態に対応するマイクアレイ処理２７（又は２６）においては、使用形態が切り替えられた直後から適切な使用環境情報に基づく雑音抑圧処理が可能となる。これにより、携帯電話機１の使用形態が変更された直後から、ユーザ発話の語頭切断を防止し、使用形態が変更されたタイミングにおいても継続的に高い雑音抑圧量での雑音抑圧処理が可能となり、通話品質を維持できる。
【００７１】
具体的には、変更後の使用形態に対応するマイクアレイ処理部２６（又は２７）は、変更前の使用形態に対応するマイクアレイ処理部２７（又は２６）から背景雑音レベル又は背景雑音スペクトルを取得する場合、使用形態が切り替えられた直後から適切な背景雑音レベル又は背景雑音スペクトルに基づく雑音抑圧処理が可能となる。よって、使用形態が切り替えられた直後に発生するミュージカルノイズを通話相手に聞かせることを防止できる。
【００７２】
また、変更後の使用形態に対応するマイクアレイ処理部２６（又は２７）は、変更前の使用形態に対応するマイクアレイ処理部２７（又は２６）からＳＮ比を取得する場合、使用形態が切り替えられた直後から抑圧量と音質のバランスが適切なマイクアレイ処理が可能となる。
【００７３】
更に、変更後の使用形態に対応するマイクアレイ処理部２６（又は２７）は、変更前の使用形態に対応するマイクアレイ処理部２７（又は２６）から所定の音源の方向情報を取得する場合、取得した方向情報が示す方向を指向性の中心として広めの指向性を形成する雑音抑圧処理を開始する。これにより、使用形態が切り替えられた直後に発話の初めの部分が抑圧されることによって発生する語頭切れを防止することができる。また、変更前の使用形態において推定された目的の音源の方向を手掛かりにできるので、初期値から推定する場合と比較して、目的の音源の方向を絞り込むまでに要する時間を短縮でき、目的の音源の方向に早期に指向性を絞ることができる。
【００７４】
更に、変更後の使用形態に対応するマイクアレイ処理部２６（又は２７）は、変更前の使用形態に対応するマイクアレイ処理部２７（又は２６）からマイク感度補正値を取得する場合、使用形態が切り替えられた直後からマイク６ａ，７ａの感度の差を補正することができる。
【００７５】
図７Ａ及び図７Ｂは実施形態１の携帯電話機１による効果を説明するための説明図である。なお、図７Ａ及び図７Ｂには使用環境情報の例として背景雑音レベルを示している。図７Ａには、各マイクアレイ処理が動作を開始する都度、使用環境情報の推定をやり直す構成の雑音抑圧装置によって雑音抑圧された後の音信号の振幅及び背景雑音レベルを示している。図７Ｂには、本実施形態１の携帯電話機１が行なう雑音抑圧処理によって雑音抑圧された後の音信号の振幅及び背景雑音レベルを示している。
【００７６】
携帯電話機１の使用形態が切り替えられた場合に変更前の使用形態における使用環境情報を変更後の使用形態における雑音抑圧処理に用いない構成では、変更後の使用形態における使用環境情報を所定の初期値から推定する。従って、図７Ａに示すように、使用形態が切り替えられたタイミングで背景雑音レベルが初期値に戻り、適切な背景雑音レベルが推定できるまでに４秒程度の時間を要している。また、この間は十分な雑音抑圧が行なわれないので、通話相手先には、雑音が十分に抑圧されていない不自然な音が送られてしまう。
【００７７】
一方、本実施形態１のように携帯電話機１の使用形態が切り替えられた場合に変更前の使用形態における使用環境情報を変更後の使用形態における雑音抑圧処理に用いる構成では、図７Ｂに示すように、使用形態が切り替えられた直後から適切な背景雑音レベルを推定できる。よって、使用形態が切り替えられた直後から十分な雑音抑圧が行なわれるので、通話中に携帯電話機１の使用形態を切り替えた場合であっても、通話相手先に不自然な音が送られてしまうことがない。
【００７８】
以下に、本実施形態１の携帯電話機１による雑音抑圧処理についてフローチャートに基づいて説明する。図８は雑音抑圧処理の手順を示すフローチャートである。なお、以下の処理は、携帯電話機１のＲＯＭ３に格納してある制御プログラムに従って演算処理部２によって実行される。
【００７９】
携帯電話機１の演算処理部２（筺体の状態判断部２１）は、例えば他の携帯電話機との間で通信（通話）が開始された場合、センサ５からの検出結果に基づいて、携帯電話機１の使用形態（通常スタイル又はビューアスタイル）を判断する（Ｓ１）。演算処理部２（マイクアレイ処理制御部２４）は、判断した使用形態に応じて、スイッチ２２，２３，２８の切り替えを制御し（Ｓ２）、音入力部６，７からの音信号を第１マイクアレイ処理部２６又は第２マイクアレイ処理部２７へ送出する。
【００８０】
演算処理部２（第１マイクアレイ処理部２６又は第２マイクアレイ処理部２７）は、音入力部６，７から取得する音信号に対してマイクアレイ処理を実行し（Ｓ３）、雑音抑圧された音信号は、通信部９を介して通信相手の携帯電話機へ送信される。なお、マイクアレイ処理の詳細については図９に基づいて後述する。
【００８１】
演算処理部２は、他の携帯電話機との通話が終了したか否かを判断しており（Ｓ４）、終了していないと判断した場合（Ｓ４：ＮＯ）、センサ５からの検出結果に基づいて、携帯電話機１の使用形態を判断する（Ｓ５）。演算処理部２（マイクアレイ処理制御部２４）は、ステップＳ５で判断した使用形態に基づいて、使用形態が変更されたか否かを判断し（Ｓ６）、変更されていないと判断した場合（Ｓ６：ＮＯ）、現在の使用形態に対応したマイクアレイ処理部において推定された使用環境情報を、現在の使用形態に対応していないマイクアレイ処理部へ渡す（Ｓ８）。演算処理部２は、ステップＳ４へ処理を戻し、ステップＳ４〜Ｓ６の処理を繰り返す。
【００８２】
使用形態が変更されたと判断した場合（Ｓ６：ＹＥＳ）、演算処理部２（情報変換部２５）は、変更前の使用形態に対応するマイクアレイ処理部２６（又は２７）から使用環境情報を取得して、変更後の使用形態に対応するマイクアレイ処理部２７（又は２６）に渡すように使用環境情報の受け渡しの方向を切り替える（Ｓ７）。
【００８３】
具体的には、通常スタイルからビューアスタイルに変更された場合、演算処理部２（情報変換部２５）は、第１マイクアレイ処理部２６の使用環境情報保存部２６２に保存されている使用環境情報を読み出して第２マイクアレイ処理部２７へ渡す。また、ビューアスタイルから通常スタイルに変更された場合、演算処理部２（情報変換部２５）は、第２マイクアレイ処理部２７の使用環境情報保存部２７２に保存されている使用環境情報を読み出して第１マイクアレイ処理部２６へ渡す。なお、情報変換部２５から使用環境情報を取得したマイクアレイ処理部２６，２７の使用環境推定部２６１，２７１は、取得した使用環境情報を使用環境情報保存部２６２，２７２に保存して利用する。
【００８４】
演算処理部２は、ステップＳ２に処理を戻し、ステップＳ５で判断した使用形態に応じて、スイッチ２２，２３，２８の切り替えを制御し（Ｓ２）、音入力部６，７からの音信号を第１マイクアレイ処理部２６又は第２マイクアレイ処理部２７へ送出する。演算処理部２は、ステップＳ２〜Ｓ７の処理を繰り返し、他の携帯電話機との通話が終了したと判断した場合（Ｓ４：ＹＥＳ）、処理を終了する。
【００８５】
以下に、上述した雑音抑圧処理におけるマイクアレイ処理（図８中のステップＳ３）について説明する。図９はマイクアレイ処理の手順を示すフローチャートである。なお、以下の処理は、携帯電話機１のＲＯＭ３に格納してある制御プログラムに従って演算処理部２によって実行される。
【００８６】
演算処理部２（使用環境推定部２６１又は２７１）は、音入力部６，７から入力される音信号に基づいて、携帯電話機１の使用形態に応じた使用環境を推定し（Ｓ１１）、推定した使用環境を示す使用環境情報を使用環境情報保存部２６２，２７２に保存する（Ｓ１２）。演算処理部２（抑圧ゲイン算出部２６３又は２７３）は、推定した使用環境情報を用いて、雑音抑圧部２６４，２７４によって抑圧される抑圧ゲインを算出する（Ｓ１３）。演算処理部２（雑音抑圧部２６４，２７４）は、算出した抑圧ゲインに基づいて抑圧処理を実行し（Ｓ１４）、図８に示す雑音抑圧処理に戻る。
【００８７】
上述した実施形態１では、携帯電話機１の使用形態が切り替えられた場合に、変更後の使用形態に対応するマイクアレイ処理部２６（又は２７）が、変更前の使用形態に対応するマイクアレイ処理部２７（又は２６）によって推定された使用環境情報を用いる。よって、使用形態が変更されることによってマイクアレイ処理部２６，２７の動作が切り替えられた場合であっても、それまでに推定されていた使用環境情報に基づいて最適な雑音抑圧処理が可能となる。これにより、使用形態が変更された直後から最適な雑音抑圧処理が可能であり、使用形態が変更されたことによる音質の劣化を防止できる。
【００８８】
（実施形態２）
以下に、実施形態２に係る携帯電話機について説明する。なお、本実施形態２の携帯電話機は、上述した実施形態１の携帯電話機１と同様の構成によって実現することができるので、同様の構成については同一の符号を付して説明を省略する。
【００８９】
上述した実施形態１の携帯電話機１は、通常スタイル及びビューアスタイルのいずれに対してもマイクアレイ処理を行なう構成であった。これに対して、本実施形態２の携帯電話機は、通常スタイルの場合にはマイクアレイ処理を行なうが、ビューアスタイルの場合には１つのマイク６ａによって受音した音信号に基づく雑音抑圧処理を行なう構成である。
【００９０】
図１０は実施形態２の携帯電話機１の機能構成を示す機能ブロック図である。本実施形態２の携帯電話機１において、演算処理部２は、図３に示した第２マイクアレイ処理部２７の代わりに雑音抑圧部２９の機能を有する。また、本実施形態２の情報変換部２５は、フィルタ部２５１及び逆フィルタ部２５２を有する。なお、これら以外の構成については、上述した実施形態１の構成と同一である。
【００９１】
雑音抑圧部２９は、図示しないが、第１マイクアレイ処理部２６と同様に、使用環境推定部、使用環境情報保存部、抑圧ゲイン算出部、雑音抑圧部の各機能を有する。
本実施形態２のマイクアレイ処理制御部２４は、実施形態１と同様に、携帯電話機１が通常スタイルであることを示す判断結果を筺体の状態判断部２１から通知された場合、音入力部６，７からの音信号を第１マイクアレイ処理部２６へ送出するようにスイッチ２２，２３の切り替えを制御する。
【００９２】
一方、携帯電話機１がビューアスタイルであることを示す判断結果を筺体の状態判断部２１から通知された場合、マイクアレイ処理制御部２４は、音入力部６からの音信号のみを雑音抑圧部２９へ送出するようにスイッチ２２，２３の切り替えを制御する。なおこのとき、マイクアレイ処理制御部２４は、雑音抑圧部２９からの音信号を所定の出力先へ送出するようにスイッチ２８の切り替えを制御する。
【００９３】
ここで、本実施形態２では、第１マイクアレイ処理部２６はマイクアレイ処理を行なうが、雑音抑圧部２９はシングルマイクを使用した雑音抑圧処理を行なう構成である。従って、第１マイクアレイ処理部２６で推定された使用環境情報と、雑音抑圧部２９で推定された使用環境情報とを単純に交換することはできない。
そこで、本実施形態２の情報変換部２５は、第１マイクアレイ処理部２６が用いる使用環境情報を雑音抑圧部２９に渡す際、及び雑音抑圧部２９が用いる使用環境情報を第１マイクアレイ処理部２６に渡す際に、それぞれの使用環境情報を、雑音抑圧部２９又は第１マイクアレイ処理部２６用に変換する。
【００９４】
例えば、雑音抑圧部２９は、背景雑音スペクトルを使用環境情報として用いる場合、背景雑音スペクトルに、低域成分を抑圧するためのハイパスフィルタを掛ける処理を行なう。よって、雑音抑圧部２９の使用環境情報保存部に保存される背景雑音スペクトルは、ハイパスフィルタを掛けられた後の背景雑音スペクトルとなる。一方、第１マイクアレイ処理部２６は、背景雑音スペクトルを使用環境情報として用いる場合、背景雑音スペクトルに、低域成分を抑圧するためのハイパスフィルタを掛ける処理を行なわない。よって、第１マイクアレイ処理部２６の使用環境情報保存部２６２に保存される背景雑音スペクトルは、ハイパスフィルタを掛ける前の背景雑音スペクトルとなる。
【００９５】
従って、情報変換部２５は、雑音抑圧部２９が背景雑音スペクトルを用いて雑音抑圧処理を行なう際に用いるハイパスフィルタと同じ特性を有するフィルタを掛ける処理を行なうフィルタ部２５１と、このフィルタの逆特性を有するフィルタを掛ける処理を行なう逆フィルタ部２５２とを有する。そして、情報変換部２５は、第１マイクアレイ処理部２６の使用環境情報保存部２６２に保存されている背景雑音スペクトルを雑音抑圧部２９に渡す際に、フィルタ部２５１によるフィルタ処理を行なう。また、情報変換部２５は、雑音抑圧部２９の使用環境情報保存部に保存されている背景雑音スペクトルを第１マイクアレイ処理部２６に渡す際に、逆フィルタ部２５２によるフィルタ処理を行なって、ハイパスフィルタの影響を取り除く。
【００９６】
上述した構成により、本実施形態２では、マイクアレイ処理と雑音抑圧処理とを、携帯電話機１の使用形態に応じて切り替える構成である場合であっても、マイクアレイ処理に用いる使用環境情報と、雑音抑圧処理に用いる使用環境情報とを共用することができる。よって、携帯電話機１の使用形態が変更されることによって第１マイクアレイ処理部２６及び雑音抑圧部２９の動作が切り替えられた場合であっても、それまでに推定されていた使用環境情報に基づいて最適な雑音抑圧処理が可能となる。これにより、使用形態が変更された直後から最適な雑音抑圧処理が可能であり、使用形態が変更されたことによる音質の劣化を防止できる。
【００９７】
本実施形態２の携帯電話機１が行なう雑音抑圧処理は、上述の実施形態１で説明した処理と同様の処理を行なうので、説明を省略する。なお、図８で示したフローチャート中のステップＳ７の処理において、本実施形態２の演算処理部２（情報変換部２５）は、使用環境情報を第１マイクアレイ処理部２６又は雑音抑圧部２９へ渡す際に、所定の変換処理を行なう。
【００９８】
（実施形態３）
以下に、実施形態３に係る携帯電話機について説明する。なお、本実施形態３の携帯電話機は、上述した実施形態１の携帯電話機１と同様の構成によって実現することができるので、同様の構成については同一の符号を付して説明を省略する。
【００９９】
上述した実施形態１の携帯電話機１は、図３に示したスイッチ２２，２３の切り替えを制御することによって、通常スタイルでの使用時には第１マイクアレイ処理部２６を動作させ、ビューアスタイルでの使用時には第２マイクアレイ処理部２７を動作させる構成であった。これに対して、本実施形態３の携帯電話機は、通常スタイルでの使用時及びビューアスタイルでの使用時に拘わらず、第１マイクアレイ処理部２６及び第２マイクアレイ処理部２７の両方を動作させる構成である。
【０１００】
図１１は実施形態３の携帯電話機１の機能構成を示す機能ブロック図である。本実施形態３の携帯電話機１において、演算処理部２は、図３に示したスイッチ２２，２３の機能を備えない。よって、第１音入力部６及び第２音入力部７によって取得された音信号はそれぞれ第１マイクアレイ処理部２６及び第２マイクアレイ処理部２７に送出される。従って、第１マイクアレイ処理部２６及び第２マイクアレイ処理部２７は、携帯電話機１の使用形態に拘わらず常にマイクアレイ処理を実行する。なお、実際の使用形態ではない実施形態に対応するマイクアレイ処理部２６（又は２７）については、使用環境推定部２６１（又は２７１）のみを動作させる。
【０１０１】
本実施形態３のマイクアレイ処理制御部２４は、携帯電話機１が通常スタイルであることを筺体の状態判断部２１から通知された場合、第１マイクアレイ処理部２６からの音信号を所定の出力先へ送出するようにスイッチ２８の切り替えを制御する。また、マイクアレイ処理制御部２４は、携帯電話機１がビューアスタイルであることを筺体の状態判断部２１から通知された場合、第２マイクアレイ処理部２７からの音信号を所定の出力先へ送出するようにスイッチ２８の切り替えを制御する。これにより、携帯電話機１の使用形態に応じたマイクアレイ処理部２６（又は２７）からの音信号が所定の出力先へ送出される。
【０１０２】
このように、携帯電話機１の使用形態に拘わらずマイクアレイ処理部２６，２７の使用環境推定部２６１，２７１を動作させておくことにより、使用形態が変更された直後においても、変更後のマイクアレイ処理部２６（又は２７）における使用環境情報の推定が既に行なわれているので、最適な使用環境情報に基づくマイクアレイ処理が可能となる。よって、携帯電話機１の使用形態が切り替えられることによるマイクアレイ処理の精度を低下させないので、音質を維持することができる。
【０１０３】
一方、例えば、音声区間・雑音区間の判定処理は難しい技術であり、実際の携帯電話機１の使用形態に対応したマイクアレイ処理部２６（又は２７）による処理によって推定した結果が最も信頼性が高い。よって、本実施形態３のように、携帯電話機１の使用形態に拘わらず全てのマイクアレイ処理部２６，２７を動作させる構成においても、このような使用環境情報のみ、マイクアレイ処理部２６，２７間で共用してもよい。
【０１０４】
従って、本実施形態３の情報変換部２５は、携帯電話機１の使用形態が変更された場合、変更前の使用形態に対応するマイクアレイ処理部２６（又は２７）の使用環境情報保存部２６２（又は２７２）から所定の使用環境情報を読み出す。そして、情報変換部２５は、読み出した使用環境情報を、変更後の使用形態に対応するマイクアレイ処理部２７（又は２６）に渡す。
【０１０５】
上述した構成により、常に情報変換部２５は、現在の使用形態に対応するマイクアレイ処理部２６（又は２７）の使用環境情報保存部２６２（又は２７２）に保存されている音声区間・雑音区間の判定結果をマイクアレイ処理部２７（又は２６）に渡す。現在の使用形態ではない方の使用形態に対応するマイクアレイ処理部２７（又は２６）は、情報変換部２５から取得した音声区間・雑音区間の判定結果を用いて、例えば背景雑音スペクトルの推定・更新を行なう。
【０１０６】
このように、他のマイクアレイ処理部２７（又は２６）が推定する使用環境情報がより最適である場合には、各マイクアレイ処理部２６（又は２７）は、より最適な使用環境情報を用いたマイクアレイ処理が可能となる。よって、携帯電話機１の使用形態が変更されることによってマイクアレイ処理部２６，２７の動作が切り替えられた場合であっても、それぞれのマイクアレイ処理部２６，２７がそれまでに推定した使用環境情報に基づいて最適な雑音抑圧処理が可能となる。これにより、使用形態が変更された直後から最適な雑音抑圧処理が可能であり、使用形態が変更されたことによる音質の劣化を防止できる。
【０１０７】
以下に、本実施形態３の携帯電話機１による雑音抑圧処理についてフローチャートに基づいて説明する。図１２は雑音抑圧処理の手順を示すフローチャートである。なお、以下の処理は、携帯電話機１のＲＯＭ３に格納してある制御プログラムに従って演算処理部２によって実行される。
【０１０８】
携帯電話機１の演算処理部２（筺体の状態判断部２１）は、例えば他の携帯電話機との間で通信（通話）が開始された場合、センサ５からの検出結果に基づいて、携帯電話機１の使用形態（通常スタイル又はビューアスタイル）を判断する（Ｓ２１）。演算処理部２（第１マイクアレイ処理部２６及び第２マイクアレイ処理部２７）は、音入力部６，７から取得する音信号に対して２種類のマイクアレイ処理を実行する（Ｓ２２）。なお、マイクアレイ処理の詳細については、実施形態１で図９に基づいて説明した処理と同一である。また、ステップＳ２１で判断した使用形態ではない使用形態に対応するマイクアレイ処理部２６（又は２７）については、使用環境推定部２６１（又は２７１）のみを動作させる。
【０１０９】
演算処理部２（マイクアレイ処理制御部２４）は、ステップＳ２１で判断した使用形態に応じて、スイッチ２８の切り替えを制御し（Ｓ２３）、第１マイクアレイ処理部２６又は第２マイクアレイ処理部２７によって雑音抑圧された音信号は、通信部９を介して通信相手の携帯電話機へ送信される。
【０１１０】
演算処理部２は、他の携帯電話機との通話が終了したか否かを判断しており（Ｓ２４）、終了していないと判断した場合（Ｓ２４：ＮＯ）、センサ５からの検出結果に基づいて、携帯電話機１の使用形態を判断する（Ｓ２５）。演算処理部２（マイクアレイ処理制御部２４）は、ステップＳ２５で判断した使用形態に基づいて、使用形態が変更されたか否かを判断し（Ｓ２６）、変更されていないと判断した場合（Ｓ２６：ＮＯ）、現在の使用形態に対応したマイクアレイ処理部において推定された使用環境情報を、現在の使用形態に対応していないマイクアレイ処理部へ渡す（Ｓ２８）。演算処理部２は、ステップＳ２４へ処理を戻し、ステップＳ２４〜Ｓ２６の処理を繰り返す。
【０１１１】
使用形態が変更されたと判断した場合（Ｓ２６：ＹＥＳ）、演算処理部２（情報変換部２５）は、変更前の使用形態に対応するマイクアレイ処理部２６（又は２７）から所定の使用環境情報を取得して、変更後の使用形態に対応するマイクアレイ処理部２７（又は２６）に渡すように使用環境情報の受け渡しの方向を切り替える（Ｓ２７）。具体的には、音声区間・雑音区間の判定結果等、実際の使用形態のマイクアレイ処理部２６（又は２７）によって推定された使用環境情報が最適である使用環境情報が渡される。
【０１１２】
演算処理部２は、ステップＳ２３に処理を戻し、ステップＳ２５で判断した使用形態に応じてスイッチ２８の切り替えを制御する（Ｓ２３）。演算処理部２は、ステップＳ２３〜Ｓ２７の処理を繰り返し、他の携帯電話機との通話が終了したと判断した場合（Ｓ２４：ＹＥＳ）、処理を終了する。
【０１１３】
上述した実施形態３は、実施形態１の変形例として説明したが、上述した実施形態２の構成にも適用できる。
【０１１４】
（実施形態４）
以下に、実施形態４に係る携帯電話機について説明する。なお、本実施形態４の携帯電話機は、上述した実施形態３の携帯電話機１と同様の構成によって実現することができるので、同様の構成については同一の符号を付して説明を省略する。
【０１１５】
上述した実施形態３の携帯電話機１は、使用形態に拘わらずマイクアレイ処理部２６，２７の使用環境推定部２６１，２７１の両方によって使用環境情報の推定を行なう構成であった。本実施形態４の携帯電話機は、使用環境情報の推定だけでなく、雑音抑圧部２６４，２７４による雑音抑圧処理も行ない、マイクアレイ処理部２６，２７のそれぞれが行なうマイクアレイ処理によって抑圧される雑音の抑圧量を比較し、比較結果をユーザ（話者）に通知する構成である。
【０１１６】
図１３は実施形態４の携帯電話機１の機能構成を示す機能ブロック図である。本実施形態４の携帯電話機１において、演算処理部２は、図１１に示した構成のほかに、ＳＮＲ比較部３０、画面表示制御部３１の各機能を有する。また、本実施形態４のマイクアレイ処理部２６，２７は、図４に示した構成のほかに、ＳＮＲ算出部２６５，２７５を有する。
【０１１７】
本実施形態４のマイクアレイ処理部２６，２７のＳＮＲ算出部２６５，２７５は、音入力部６，７から入力された音信号と、雑音抑圧部２６４，２７４によって雑音抑圧処理を行なった後の音信号とに基づいてＳＮＲを算出する。なお、ＳＮＲは、雑音成分のレベルに対する音信号のレベルの比であり、ＳＮＲが大きいほど高音質であることを示している。ＳＮＲ算出部２６５，２７５はそれぞれ、算出したＳＮＲをＳＮＲ比較部３０へ送出する。
【０１１８】
ＳＮＲ比較部３０は、ＳＮＲ算出部２６５，２７５のそれぞれから取得したＳＮＲを比較し、筺体の状態判断部２１によって判断された現在の使用形態に対応するマイクアレイ処理部２６（又は２７）におけるＳＮＲが、他のマイクアレイ処理部２７（又は２６）におけるＳＮＲよりも小さい値であるか否かを判断する。ＳＮＲ比較部３０は、現在の使用形態に対応するマイクアレイ処理部２６（又は２７）におけるＳＮＲが、他のマイクアレイ処理部２７（又は２６）におけるＳＮＲよりも小さい値であれば、その旨を画面表示制御部３１に通知する。
【０１１９】
画面表示制御部３１は、ＲＯＭ３に予め格納されている画面情報に基づいて、現在の使用形態ではない使用形態での使用の方が高いＳＮＲを得られる旨を表示する画面情報を生成して表示部１１に表示させる。図１４は表示画面の構成例を示す模式図である。図１４に示す表示画面は、ビューアスタイルで使用中のユーザに対して、通常スタイルで使用した方が高音質の通話ができる旨を通知するための画面である。
【０１２０】
このように、現在の使用形態ではない使用形態での使用の方が高音質の通話を行なえることを通知することにより、ユーザは、雑音抑圧処理に適した使用形態を知ることができる。また、ユーザは、通知された使用形態に切り替えることにより、最適な雑音抑圧された音信号に基づく通話が可能となる。本実施形態４の携帯電話機１では、図１４に示すような通知画面によって、他の使用形態での利用の方が好ましい旨を通知する構成であるが、例えば、音声ガイダンスによって通知してもよい。なお、ＳＮＲのほかに、マイクアレイ処理部２６，２７によって抑圧される雑音の抑圧量を比較する構成としてもよい。
【０１２１】
以下に、本実施形態４におけるマイクアレイ処理部２６，２７によるマイクアレイ処理について説明する。図１５はマイクアレイ処理の手順を示すフローチャートである。なお、以下の処理は、携帯電話機１のＲＯＭ３に格納してある制御プログラムに従って演算処理部２によって実行される。
【０１２２】
演算処理部２（使用環境推定部２６１，２７１）は、音入力部６，７から入力される音信号に基づいて、携帯電話機１の使用形態に応じた使用環境を推定し（Ｓ３１）、推定した使用環境を示す使用環境情報を使用環境情報保存部２６２，２７２に保存する（Ｓ３２）。演算処理部２（抑圧ゲイン算出部２６３，２７３）は、推定した使用環境情報を用いて、雑音抑圧部２６４，２７４によって抑圧される抑圧ゲインを算出する（Ｓ３３）。演算処理部２（雑音抑圧部２６４，２７４）は、算出した抑圧ゲインに基づいて抑圧処理を実行する（Ｓ３４）。演算処理部２（ＳＮＲ算出部２６５，２７５）は、音入力部６，７から入力された音信号と、雑音抑圧部２６４，２７４によって雑音抑圧処理を行なった後の音信号とに基づいてそれぞれＳＮＲを算出し（Ｓ３５）、雑音抑圧処理に戻る。
【０１２３】
以下に、上述したようなマイクアレイ処理を行なうマイクアレイ処理部２６，２７を備えた本実施形態４の携帯電話機１による雑音抑圧処理についてフローチャートに基づいて説明する。図１６は雑音抑圧処理の手順を示すフローチャートである。なお、以下の処理は、携帯電話機１のＲＯＭ３に格納してある制御プログラムに従って演算処理部２によって実行される。
【０１２４】
携帯電話機１の演算処理部２（筺体の状態判断部２１）は、例えば他の携帯電話機との間で通信（通話）が開始された場合、センサ５からの検出結果に基づいて、携帯電話機１の使用形態（通常スタイル又はビューアスタイル）を判断する（Ｓ４１）。演算処理部２（第１マイクアレイ処理部２６及び第２マイクアレイ処理部２７）は、音入力部６，７から取得する音信号に対して、図１５に基づいて説明したマイクアレイ処理を実行する（Ｓ４２）。
【０１２５】
演算処理部２（マイクアレイ処理制御部２４）は、ステップＳ４１で判断した使用形態に応じて、スイッチ２８の切り替えを制御し（Ｓ４３）、第１マイクアレイ処理部２６又は第２マイクアレイ処理部２７によって雑音抑圧された音信号は、通信部９を介して通信相手の携帯電話機へ送信される。
【０１２６】
演算処理部２（ＳＮＲ比較部３０）は、マイクアレイ処理部２６，２７のＳＮＲ算出部２６５，２７５によって算出されたＳＮＲを比較する（Ｓ４４）。演算処理部２は、現在の使用形態に対応するマイクアレイ処理部２６（又は２７）におけるＳＮＲが、他のマイクアレイ処理部２７（又は２６）におけるＳＮＲよりも小さい値であるか否かに基づいて、ユーザへの通知が必要であるか否かを判断する（Ｓ４５）。なお、演算処理部２は、現在の使用形態に対応するマイクアレイ処理部２６（又は２７）におけるＳＮＲが、他のマイクアレイ処理部２７（又は２６）におけるＳＮＲよりも小さい値である場合に、ユーザへの通知が必要であると判断する。
【０１２７】
演算処理部２は、ユーザへの通知が必要であると判断した場合（Ｓ４５：ＹＥＳ）、図１４に示すような画面を表示させるための画面情報を生成し、表示部１１に表示させる（Ｓ４６）。演算処理部２は、ユーザへの通知が必要でないと判断した場合（Ｓ４５：ＮＯ）、ステップＳ４６の処理をスキップし、他の携帯電話機との通話が終了したか否かを判断する（Ｓ４７）。
【０１２８】
演算処理部２は、通話が終了していないと判断した場合（Ｓ４７：ＮＯ）、センサ５からの検出結果に基づいて、携帯電話機１の使用形態を判断する（Ｓ４８）。演算処理部２（マイクアレイ処理制御部２４）は、ステップＳ４８で判断した使用形態に基づいて、使用形態が変更されたか否かを判断し（Ｓ４９）、変更されていないと判断した場合（Ｓ４９：ＮＯ）、現在の使用形態に対応したマイクアレイ処理部において推定された使用環境情報を、現在の使用形態に対応していないマイクアレイ処理部へ渡す（Ｓ５１）。演算処理部２は、ステップＳ４７へ処理を戻し、ステップＳ４７〜Ｓ４９の処理を繰り返す。
【０１２９】
使用形態が変更されたと判断した場合（Ｓ４９：ＹＥＳ）、演算処理部２（情報変換部２５）は、変更前の使用形態に対応するマイクアレイ処理部２６（又は２７）から所定の使用環境情報を取得して、変更後の使用形態に対応するマイクアレイ処理部２７（又は２６）に渡すように使用環境情報の受け渡しの方向を切り替える（Ｓ５０）。
【０１３０】
演算処理部２は、ステップＳ４３に処理を戻し、ステップＳ４８で判断した使用形態に応じてスイッチ２８の切り替えを制御する（Ｓ４３）。演算処理部２は、ステップＳ４３〜Ｓ５１の処理を繰り返し、他の携帯電話機との通話が終了したと判断した場合（Ｓ４７：ＹＥＳ）、処理を終了する。
【０１３１】
（実施形態５）
以下に、実施形態５に係る携帯電話機について説明する。なお、本実施形態５の携帯電話機は、上述した実施形態１の携帯電話機１と同様の構成によって実現することができるので、同様の構成については同一の符号を付して説明を省略する。
【０１３２】
上述した実施形態１〜４の携帯電話機１は、２つのマイク６ａ，７ａを備える構成であった。本実施形態５の携帯電話機１は、３つのマイクを備える構成とする。なお、マイクの数は２つ又は３つに限られない。
【０１３３】
図１７Ａ及び図１７Ｂは実施形態５の携帯電話機の構成を示す模式図である。なお、図１７Ａ及び図１７Ｂには携帯電話機１を折り畳んだ状態のみを示しており、図１７Ａには表示部１１を有する筺体１ａを上側にした携帯電話機１の外観斜視図を、図１７Ｂには操作部１０を有する筺体１ｂを上側にした携帯電話機１の外観斜視図をそれぞれ示す。
【０１３４】
本実施形態５の携帯電話機１は、図１Ａ、図１Ｂ及び図１Ｃに示した実施形態１の携帯電話機１が備える各構成要素のほかに、筺体１ｂの操作部１０が設けられている面とは反対側の面の適宜位置にマイク１２ａを有する。
【０１３５】
以下に、本実施形態５の携帯電話機１において、演算処理部２がＲＯＭ３に格納されている種々の制御プログラムを実行することによって実現される携帯電話機１の機能について説明する。図１８は実施形態５の携帯電話機１の機能構成を示す機能ブロック図である。本実施形態５の携帯電話機１の演算処理部２は、図３に示した構成において、スイッチ２２，２３の代わりに入力切替部３２を有する。
【０１３６】
また、本実施形態５の携帯電話機１は、マイク１２ａ、増幅器及びＡ／Ｄ変換器（共に図示せず）を有する第３音入力部１２を有する。第１音入力部６、第２音入力部７及び第３音入力部１２は、受音して得られた音信号を入力切替部３２にそれぞれ送出する。
本実施形態５のマイクアレイ処理制御部２４は、筺体の状態判断部２１から通知された携帯電話機の使用形態に応じて、音入力部６，７，１２のうちの２つの音入力部からの音信号をマイクアレイ処理部２６（又は２７）へ送出するように入力切替部３２による切り替えを制御する。
【０１３７】
具体的には、通常スタイルであることを通知された場合、マイクアレイ処理制御部２４は、音入力部６，７からの音信号を第１マイクアレイ処理部２６へ送出するように入力切替部３２を制御する。また、ビューアスタイルであることを通知された場合、マイクアレイ処理制御部２４は、音入力部６，１２からの音信号を第２マイクアレイ処理部２７へ送出するように入力切替部３２を制御する。
【０１３８】
このような構成により、本実施形態５の携帯電話機１は、図１９Ａ及び図１９Ｂに示すような指向性パターンを得ることができる。図１９Ａ及び図１９Ｂは実施形態５の携帯電話機１における指向性のパターンを示す模式図である。本実施形態５の携帯電話機１では、通常スタイルにおいては図１９Ａに示すように、２つのマイク７ａ，６ａを結んだ線上を中心としたコーン型の指向性パターンの受音が可能となり、マイク７ａが設けられた側面側に指向性の死角を形成した雑音抑圧が行なわれる。また、ビューアスタイルにおいては図１９Ｂに示すように、２つのマイク１２ａ，６ａを結んだ線上を中心としたコーン型の指向性パターンの受音が可能となり、マイク１２ａが設けられた側面側に指向性の死角を形成した雑音抑圧が行なわれる。
【０１３９】
このように、本実施形態５の携帯電話機１では、使用形態に応じてマイクアレイ処理に用いる２つのマイクを適宜切り替えることにより、目的の音源（話者の口）の方向とは反対方向に指向性を作らないコーン型の指向性パターンを常に形成することが可能となる。よって、本実施形態５の携帯電話機１では、使用形態に拘わらず最適な雑音抑圧処理を行なえるので、良好な音質を維持することができる。
【０１４０】
本実施形態５の携帯電話機１が行なう雑音抑圧処理は、上述の実施形態１で説明した処理と同様の処理を行なうので、説明を省略する。なお、図８で示したフローチャート中のステップＳ２の処理において、本実施形態５の演算処理部２（マイクアレイ処理制御部２４）は、３つの音入力部６，７，１２のうちから２つを選択し、選択した２つの音入力部からの音信号をマイクアレイ処理部２６，２７のいずれかへ送出するように入力切替部３２を制御する。
【０１４１】
（実施形態６）
以下に、実施形態６に係る携帯電話機について説明する。なお、本実施形態６の携帯電話機は、上述した実施形態５の携帯電話機１と同様の構成によって実現することができるので、同様の構成については同一の符号を付して説明を省略する。
【０１４２】
上述した実施形態５の携帯電話機１は、通常スタイルでの使用時とビューアスタイルでの使用時とにおいて、３つのマイク６ａ，７ａ，１２ａのうちの２つのマイクを切り替えてマイクアレイ処理を行なう構成であった。本実施形態６の携帯電話機１は、通常スタイル及びビューアスタイルでの使用のほかに、通常スタイルでの使用の際に、スピーカ８ａを話者の耳に近付けて使用する音声通話スタイル（本実施形態６でも通常スタイルという）と、話者が表示部１１の表示画面を見ながら使用するスタイル（以下、テレビ電話スタイルという）との切り替えが可能である。
【０１４３】
従って、本実施形態６の携帯電話機１は、通常スタイルでの使用時、ビューアスタイルでの使用時、テレビ電話スタイルでの使用時において、３つのマイク６ａ，７ａ，１２ａを切り替えてマイクアレイ処理を行なう構成である。なお、本実施形態６の携帯電話機では、ビューアスタイルの状態で表示部１１の表示画面を見ながら使用するスタイルも可能であるが、説明の簡略化のため、本実施形態６では、上述した通常スタイル、ビューアスタイル、テレビ電話スタイルの切り替えが可能である構成を例に説明する。
【０１４４】
図２０は実施形態６の携帯電話機１の機能構成を示す機能ブロック図である。本実施形態６の携帯電話機１において、演算処理部２は、図１８に示した機能のほかに、第３マイクアレイ処理部３３の機能を有する。第３マイクアレイ処理部３３は、図４に示した第１マイクアレイ処理部２６及び第２マイクアレイ処理部２７の構成と同様の構成を有する。
【０１４５】
本実施形態６の携帯電話機１は、音声通話とテレビ電話通話との選択が可能に構成されている。本実施形態６の携帯電話機１は、音声通話が選択されている場合は音声信号のみを通話相手の携帯電話機に送信する。また、本実施形態６の携帯電話機１は、テレビ電話通話が選択されている場合は、携帯電話機１に設けられたカメラ（図示せず）によって撮影された画像信号と共に音声信号を通話相手の携帯電話機に送信する。
【０１４６】
本実施形態６のマイクアレイ処理制御部２４には、音声通話であるかテレビ電話通話であるかを示す情報が入力されている。マイクアレイ処理制御部２４は、音声通話であるかテレビ電話通話であるかを示す情報と、筺体の状態判断部２１から通知された携帯電話機１の使用形態とに基づいて、通常スタイルであるか、ビューアスタイルであるか、テレビ電話スタイルであるかを判断する。そして、マイクアレイ処理制御部２４は、判断したスタイルに応じて、音入力部６，７，１２のうちの２つの音入力部からの音信号をマイクアレイ処理部２６（又は２７，３３）へ送出するように入力切替部３２による切り替えを制御する。
【０１４７】
具体的には、通常スタイルであると判断した場合、マイクアレイ処理制御部２４は、音入力部６，７からの音信号を第１マイクアレイ処理部２６へ送出するように入力切替部３２を制御する。また、ビューアスタイルであることを通知された場合、マイクアレイ処理制御部２４は、音入力部６，１２からの音信号を第２マイクアレイ処理部２７へ送出するように入力切替部３２を制御する。更に、テレビ電話スタイルであると判断した場合、マイクアレイ処理制御部２４は、音入力部６，１２からの音信号を第３マイクアレイ処理部３３へ送出するように入力切替部３２を制御する。
【０１４８】
マイクアレイ処理部２６，２７，３３のそれぞれは、２つの音入力部からの音信号が入力された場合、それぞれの使用環境情報保存部２６２，２７２に保存してある使用環境情報を用いたマイクアレイ処理を実行し、雑音抑圧した音信号をスイッチ２８を介して所定の出力先へ送出する。
【０１４９】
このような構成により、本実施形態６の携帯電話機１は、図２１Ａ及び図２１Ｂに示すような指向性パターンを得ることができる。図２１Ａ及び図２１Ｂは実施形態６の携帯電話機１における指向性のパターンを示す模式図である。本実施形態６の携帯電話機１では、通常スタイルにおいては図２１Ａに示すように、２つのマイク７ａ，６ａを結んだ線上を中心としたコーン型の指向性パターンの受音が可能となり、マイク７ａが設けられた側面側に指向性の死角を形成した雑音抑圧が行なわれる。
【０１５０】
また、テレビ電話スタイルにおいては図２１Ｂに示すように、２つのマイク１２ａ，６ａを結んだ線上を中心としたコーン型の指向性パターンの受音が可能となり、マイク１２ａが設けられた側面側に指向性の死角を形成した雑音抑圧が行なわれる。なお、ビューアスタイルにおいては図１９Ｂに示す指向性パターンとなる。
【０１５１】
このように、本実施形態６の携帯電話機１では、通常スタイル及びビューアスタイル等のような筺体の状態の変化だけでなく、音声通話及びテレビ電話通話等のような音声の入力スタイルの変化によっても、実行させるマイクアレイ処理部２６，２７，３３の切り替えを行なう。よって、音声の入力スタイルを切り替えた場合であっても、最適なマイクアレイ処理の実行が可能である。また、本実施形態６の携帯電話機１は、図２１Ａ及び図２１Ｂに示すように、使用形態に拘わらず、目的の音源（話者の口）の方向とは反対方向に指向性を作らないコーン型の指向性パターンを常に形成することができるので、どのような使用形態においても雑音抑圧処理の精度を低下させない。
【０１５２】
本実施形態６の携帯電話機１が行なう雑音抑圧処理は、上述の実施形態１で説明した処理と同様の処理を行なうので、説明を省略する。なお、図８で示したフローチャート中のステップＳ１，５の処理において、本実施形態６の演算処理部２（マイクアレイ処理制御部２４）は、通常スタイルであるか、ビューアスタイルであるか、テレビ電話スタイルであるかの使用形態を判断する。具体的には、マイクアレイ処理制御部２４は、筺体の状態判断部２１から通知された携帯電話機１の筺体の状態と、音声通話であるかテレビ電話通話であるかを示す情報とに基づいて、いずれの使用形態であるかを判断する。
【０１５３】
（実施形態７）
以下に、実施形態７に係る携帯電話機について説明する。なお、本実施形態７の携帯電話機は、上述した実施形態１の携帯電話機１と同様の構成によって実現することができるので、同様の構成については同一の符号を付して説明を省略する。
【０１５４】
上述した実施形態１〜６の携帯電話機１は、マイクアレイ処理部２６，２７，３３のそれぞれが使用環境情報保存部２６２，２７２を備える構成であった。即ち、携帯電話機１の使用形態が変更された場合に、情報変換部２５が、変更前の使用形態に対応するマイクアレイ処理部２６（又は２７，３３）の使用環境情報保存部２６２（又は２７２）から使用環境情報を読み出し、変更後の使用形態に対応するマイクアレイ処理部２７（又は２６，３３）に渡す構成であった。これに対して、本実施形態７の携帯電話機１は、マイクアレイ処理部２６，２７，３３のそれぞれには使用環境情報保存部２６２，２７２を備えない構成である。
【０１５５】
図２２は実施形態７の携帯電話機１の機能構成を示す機能ブロック図である。本実施形態７の携帯電話機１において、演算処理部２は、図３に示した機能と同様の機能を有するほか、情報変換部２５には使用環境情報保存部（記憶手段）２５１が接続されている。使用環境情報保存部２５１としては、例えばＲＡＭ４の所定の領域を利用してもよいし、別途に設けられたメモリ部を利用してもよい。なお、マイクアレイ処理部２６，２７は、図４に示す構成と同様の構成を備えるが、使用環境情報保存部２６２，２７２を備えない。
【０１５６】
本実施形態７の情報変換部２５は、マイクアレイ処理部２６，２７によって推定される使用環境情報を逐次取得し、使用環境情報保存部２５１に保存する。なお、情報変換部２５は、使用環境情報保存部２５１に使用環境情報を保存する場合、それぞれの使用環境情報を推定したマイクアレイ処理部２６，２７を識別するための情報に対応させて保存してもよく、所定の使用形態に対応する使用形態に変換させた後に保存してもよい。また、情報変換部２５は、マイクアレイ処理部２６，２７によって推定された使用環境情報を逐次使用環境情報保存部２５１に保存する構成に限られず、携帯電話機１の使用形態が変更された際に使用環境情報保存部２５１に保存する構成としてもよい。
【０１５７】
情報変換部２５は、マイクアレイ処理制御部２４からの指示に従って、使用環境情報保存部２５１に保存されている使用環境情報を読み出し、マイクアレイ処理部２６（又は２７）に渡す。具体的には、情報変換部２５は、通常スタイルでの使用時には、第１マイクアレイ処理部２６に使用環境情報を渡し、ビューアスタイルでの使用時には、第２マイクアレイ処理部２７に使用環境情報を渡す。なお、情報変換部２５は、必要に応じて、使用環境情報保存部２５１から読み出した使用環境情報をマイクアレイ処理部２６，２７にそれぞれ渡す際に、マイクアレイ処理部２６，２７に対応した使用環境情報への変換処理を行なう。
【０１５８】
このような構成により、本実施形態７の携帯電話機１では、複数のマイクアレイ処理部２６，２７において推定された使用環境情報が使用環境情報保存部２５１で一元管理される。従って、３つ以上のマイクアレイ処理部を備える構成の携帯電話機１においては、使用環境情報の送出処理が簡略化できる。
【０１５９】
即ち、実施形態６の携帯電話機１のように３つのマイクアレイ処理部２６，２７，３３を備える構成では、変更前の使用形態及び変更後の使用形態に応じて、いずれかのマイクアレイ処理部２６（又は２７，３３）から、いずれかのマイクアレイ処理部２７（又は２６，３３）へ使用環境情報を渡す必要がある。しかし、本実施形態７の携帯電話機１では、使用環境情報保存部２５１から読み出した使用環境情報をいずれかのマイクアレイ処理部へ送出すればよいので処理が簡略化できる。
【０１６０】
本実施形態７の携帯電話機１が行なう雑音抑圧処理は、上述の実施形態１で説明した処理と同様の処理を行なうので、説明を省略する。なお、図８で示したフローチャート中のステップＳ７の処理において、本実施形態７の演算処理部２（情報変換部２５）は、使用環境情報保存部２５１から読み出した使用環境情報を、変更後の使用形態に対応するマイクアレイ処理部２６（又は２７）へ渡す処理を行なう。
【０１６１】
（実施形態８）
以下に、実施形態８に係る携帯電話機について説明する。本実施形態８は、上述の実施形態１〜７の携帯電話機１に対する外観の変形例について説明する。図２３Ａ、図２３Ｂ及び図２３Ｃは実施形態８の携帯電話機の構成を示す模式図である。なお、図２３Ａには折り畳んでいない状態の携帯電話機１の外観斜視図を、図２３Ｂには折り畳んだ状態の携帯電話機１を筺体１ａ側から見た外観斜視図を、図２３Ｃには折り畳んだ状態の携帯電話機１を筺体１ｂ側から見た外観斜視図をそれぞれ示す。
【０１６２】
本実施形態８の携帯電話機１は、表示部１１を有する第１の筺体１ａと、操作部１０を有する第２の筺体１ｂとが、ヒンジ部１ｄを介して連結されている。ヒンジ部１ｄは、図２３Ａ、図２３Ｂ及び図２３Ｃにおける上下方向を回動軸として、筺体１ｂに対して１８０°の回動が可能に構成されており、図２３Ａに示すように操作部１０を解放させた状態と、図２３Ｂに示すように操作部１０を閉じた状態とに変更することができる。本実施形態８の携帯電話機１では、マイク６ａをヒンジ部（可動部）１ｄに設け、マイク７ａを筺体１ｂの操作部１０が設けられている面の反対側の面に設けてある。
【０１６３】
このように、回動するヒンジ部１ｄにマイク６ａを設けることにより、本実施形態８の携帯電話機１では、通常スタイルでの使用時においてもビューアスタイルでの使用時において、２つのマイク６ａ，７ａを用いたマイクアレイ処理を行なうことが可能である。
【０１６４】
以上の実施形態１〜８を含む実施形態に関し、更に以下の付記を開示する。
【０１６５】
（付記１）
受音した音を音信号に変換する複数の受音部を接続可能で、前記音信号に含まれる雑音成分を抑圧する雑音抑圧装置において、
前記複数の受音部の位置関係及び／又は前記複数の受音部と目的音源との位置関係が変化する複数の使用形態での使用が可能であり、
前記使用形態を検知する検知部と、
前記複数の受音部で変換された各音信号に対して雑音抑圧処理に用いる使用環境情報を、前記検知部が検知した使用形態に応じた使用環境情報に変換する変換部と、
該変換部が変換した使用環境情報を用いた雑音抑圧処理を前記音信号に対して行なう抑圧部と
を備えることを特徴とする雑音抑圧装置。
【０１６６】
（付記２）
前記使用形態のそれぞれに応じた使用環境を推定する推定部を更に備え、
前記変換部は、前記推定部が推定した使用環境を示す使用環境情報を、前記検知部が検知した使用形態に応じた使用環境情報に変換すること
を特徴とする付記１に記載の雑音抑圧装置。
【０１６７】
（付記３）
前記推定部が推定したそれぞれの使用形態に応じた使用環境を示す使用環境情報を、それぞれの使用形態に対応付けて記憶する記憶部を備え、
前記変換部は、前記記憶部に記憶してある使用環境情報を、前記検知部が検知した使用形態に応じた使用環境情報に変換すること
を特徴とする付記２に記載の雑音抑圧装置。
【０１６８】
（付記４）
前記推定部は、
前記検知部が検知した使用形態に応じて、前記受音部のそれぞれによって変換された音信号における音声区間及び雑音区間、該音声区間及び雑音区間の情報を用いて背景雑音レベル及び／又は背景雑音スペクトルを推定し、
現在の使用形態に対して推定した前記音声区間及び雑音区間の情報を用いて、現在の使用形態ではない使用形態に対応する背景雑音レベル及び／又は背景雑音スペクトルを推定すること
を特徴とする付記２又は３に記載の雑音抑圧装置。
【０１６９】
（付記５）
前記使用形態のそれぞれに対応して、前記抑圧部によって雑音抑圧処理が行なわれた音信号のＳＮ比及び／又は前記抑圧部による雑音抑圧処理における抑圧量を算出する算出部と、
前記使用形態のそれぞれに対応して算出されたＳＮ比及び／又は抑圧量を比較する比較部と、
比較した結果を外部に通知する通知部とを更に備え、
前記推定部は、前記受音部のそれぞれによって変換された音信号に基づいて、前記使用形態のそれぞれに対応する使用環境を推定し、
前記抑圧部は、前記推定部が推定した前記使用形態のそれぞれに対応する使用環境を示す使用環境情報を用いて、前記音信号に対して雑音抑圧処理を行なうこと
を特徴とする付記２から４までのいずれかひとつに記載の雑音抑圧装置。
【０１７０】
（付記６）
前記受音部の使用形態の切り替えが可能であり、
前記受音部の使用形態のそれぞれに対応付けて、所定の音源の方向を示す方向情報を記憶する方向情報記憶部を更に備え、
前記抑圧部は、前記検知部が検知した前記受音部の使用形態に対応して記憶してある方向情報を用いて、前記使用形態に応じた雑音抑圧処理を行なうこと
を特徴とする付記１から５までのいずれかひとつに記載の雑音抑圧装置。
【０１７１】
（付記７）
前記受音部は、３つ以上であり、
前記使用形態のそれぞれに応じて、前記受音部のうちの複数の受音部を選択する選択部を更に備え、
前記抑圧部は、選択された受音部によって変換された音信号に対して前記雑音抑圧処理を行なうことを特徴とする付記１から６までのいずれかひとつに記載の雑音抑圧装置。
【０１７２】
（付記８）
前記使用環境情報は、背景雑音レベル、背景雑音スペクトルの統計量、雑音区間及び雑音帯域を示す情報、所定の音源の方向を示す方向情報、雑音源の方向を示す方向情報、ＳＮ比、及び前記複数の受音部の感度のばらつきを補正するための補正値の少なくとも１つを含む情報であることを特徴とする付記１から７までのいずれかひとつに記載の雑音抑圧装置。
【０１７３】
（付記９）
前記複数の受音部はマイクロホンであり、
付記１から８までのいずれかひとつに記載の雑音抑圧装置を備えることを特徴とする携帯電話機。
【０１７４】
（付記１０）
前記受音部の少なくとも１つが設けられた可動部を有する筺体を備え、
前記可動部を動かすことによって前記複数の受音部の配置位置が変更されるように構成してあることを特徴とする付記９に記載の携帯電話機。
【０１７５】
（付記１１）
受音した音を音信号に変換する複数の受音部と接続可能な雑音抑圧装置が、前記音信号に含まれる雑音成分を抑圧する雑音抑圧方法において、
前記雑音抑圧装置は、前記複数の受音部の位置関係及び／又は前記複数の受音部と目的音源との位置関係が変化する複数の使用形態での使用が可能であり、
前記雑音抑圧装置が、前記使用形態を検知するステップと、
前記雑音抑圧装置が、前記複数の受音部で変換された各音信号に対して雑音抑圧処理に用いる使用環境情報を、検知した使用形態に応じた使用環境情報に変換するステップと、
前記雑音抑圧装置が、変換した使用環境情報を用いた雑音抑圧処理を前記音信号に対して行なうステップと
を有することを特徴とする雑音抑圧方法。
【０１７６】
（付記１２）
コンピュータに、受音して得られた音信号に含まれる雑音成分を抑圧させるためのコンピュータプログラムにおいて、
コンピュータに、
受音した際の使用形態を検知させるステップと、
前記音信号に対して雑音抑圧処理に用いる使用環境情報を、検知した使用形態に応じた使用環境情報に変換させるステップと、
変換した使用環境情報を用いた雑音抑圧処理を前記音信号に対して行なうステップと
を有することを特徴とするコンピュータプログラム。
【図面の簡単な説明】
【０１７７】
【図１Ａ】実施形態１の携帯電話機の構成を示す模式図である。
【図１Ｂ】実施形態１の携帯電話機の構成を示す模式図である。
【図１Ｃ】実施形態１の携帯電話機の構成を示す模式図である。
【図２】実施形態１の携帯電話機の構成を示すブロック図である。
【図３】実施形態１の携帯電話機の機能構成を示す機能ブロック図である。
【図４】マイクアレイ処理部の機能構成を示す機能ブロック図である。
【図５Ａ】実施形態１の携帯電話機における指向性のパターンを示す模式図である。
【図５Ｂ】実施形態１の携帯電話機における指向性のパターンを示す模式図である。
【図６】背景雑音スペクトル及び音声区間のスペクトルの例を示す模式図である。
【図７Ａ】実施形態１の携帯電話機による効果を説明するための説明図である。
【図７Ｂ】実施形態１の携帯電話機による効果を説明するための説明図である。
【図８】雑音抑圧処理の手順を示すフローチャートである。
【図９】マイクアレイ処理の手順を示すフローチャートである。
【図１０】実施形態２の携帯電話機の機能構成を示す機能ブロック図である。
【図１１】実施形態３の携帯電話機の機能構成を示す機能ブロック図である。
【図１２】雑音抑圧処理の手順を示すフローチャートである。
【図１３】実施形態４の携帯電話機の機能構成を示す機能ブロック図である。
【図１４】表示画面の構成例を示す模式図である。
【図１５】マイクアレイ処理の手順を示すフローチャートである。
【図１６】雑音抑圧処理の手順を示すフローチャートである。
【図１７Ａ】実施形態５の携帯電話機の構成を示す模式図である。
【図１７Ｂ】実施形態５の携帯電話機の構成を示す模式図である。
【図１８】実施形態５の携帯電話機の機能構成を示す機能ブロック図である。
【図１９Ａ】実施形態５の携帯電話機における指向性のパターンを示す模式図である。
【図１９Ｂ】実施形態５の携帯電話機における指向性のパターンを示す模式図である。
【図２０】実施形態６の携帯電話機の機能構成を示す機能ブロック図である。
【図２１Ａ】実施形態６の携帯電話機における指向性のパターンを示す模式図である。
【図２１Ｂ】実施形態６の携帯電話機における指向性のパターンを示す模式図である。
【図２２】実施形態７の携帯電話機の機能構成を示す機能ブロック図である。
【図２３Ａ】実施形態８の携帯電話機の構成を示す模式図である。
【図２３Ｂ】実施形態８の携帯電話機の構成を示す模式図である。
【図２３Ｃ】実施形態８の携帯電話機の構成を示す模式図である。
【図２４】従来の雑音抑圧装置の構成を示すブロック図である。
【符号の説明】
【０１７８】
１  携帯電話機（雑音抑圧装置）
２  演算処理部
２１  筺体の状態判断部（検知手段）
２５  情報変換部（変換手段）
２６，２７  マイクアレイ処理部（抑圧手段）
２６１，２７１  使用環境推定部（推定手段）
６，７  音入力部（受音部）
【図１Ａ】
2010054731.tif 000004
【図１Ｂ】
2010054731.tif 000005
【図１Ｃ】
2010054731.tif 000006
【図２】
2010054731.tif 000007
【図３】
2010054731.tif 000008
【図４】
2010054731.tif 000009
【図５Ａ】
2010054731.tif 000010
【図５Ｂ】
2010054731.tif 000011
【図６】
2010054731.tif 000012
【図７Ａ】
2010054731.tif 000013
【図７Ｂ】
2010054731.tif 000014
【図８】
2010054731.tif 000015
【図９】
2010054731.tif 000016
【図１０】
2010054731.tif 000017
【図１１】
2010054731.tif 000018
【図１２】
2010054731.tif 000019
【図１３】
2010054731.tif 000020
【図１４】
2010054731.tif 000021
【図１５】
2010054731.tif 000022
【図１６】
2010054731.tif 000023
【図１７Ａ】
2010054731.tif 000024
【図１７Ｂ】
2010054731.tif 000025
【図１８】
2010054731.tif 000026
【図１９Ａ】
2010054731.tif 000027
【図１９Ｂ】
2010054731.tif 000028
【図２０】
2010054731.tif 000029
【図２１Ａ】
2010054731.tif 000030
【図２１Ｂ】
2010054731.tif 000031
【図２２】
2010054731.tif 000032
【図２３Ａ】
2010054731.tif 000033
【図２３Ｂ】
2010054731.tif 000034
【図２３Ｃ】
2010054731.tif 000035
【図２４】
2010054731.tif 000036